(57)【要約】  本発明は、１つ以上の第１発光素子と、１つ以上の第２発光素子と、前記１つ以上の第１発光素子及び前記１つ以上の第２発光素子の動作を制御するよう構成される制御システムとを有する照明システムを提供する。本発明による照明装置は、２つの異なる、ほぼ単色の発光素子光源を用いて実用照明を生成するよう構成されるので、前記照明装置によって生成される前記実用照明に起因する光害は、多色光源と比べて低減される。
2010501104.tif 000002
【特許請求の範囲】
【請求項１】
実用照明を、前記実用照明によって引き起こされる光害のレベルを抑えながら、環境に供給するための照明装置であり、
ａ）第１波長領域内の光を生成するための１つ以上の第１発光素子と、
ｂ）第２波長領域内の光を生成するための１つ以上の第２発光素子と、
ｃ）前記１つ以上の第１発光素子及び前記１つ以上の第２発光素子に作動的に結合される制御システムであって、実用照明を生成するために前記１つ以上の第１発光素子及び前記１つ以上の第２発光素子の起動を制御するよう構成される制御システムとを有する照明装置であって、
前記第１波長領域が、ほぼ黄色であり、前記第２波長領域が、ほぼ青色である照明装置。
【請求項２】
請求項１に記載の照明装置であって、前記第１波長領域が、560nmから600nmまでにわたる照明装置。
【請求項３】
請求項１に記載の照明装置であって、前記第２波長領域が、450nmから500nmまでにわたる照明装置。
【請求項４】
請求項１に記載の照明装置であって、前記制御システムが、フィードバック機構を有し、前記フィードバック機構が、前記１つ以上の第１発光素子及び前記１つ以上の第２発光素子の動作に関するデータを取得するよう構成され、前記制御システムが、前記データに基づいて前記１つ以上の第１発光素子及び前記１つ以上の第２発光素子の起動を制御するよう構成される照明装置。
【請求項５】
請求項４に記載の照明装置であって、前記フィードバック機構が、前記１つ以上の第１発光素子に供給される駆動電流を示すデータを生成するよう構成される第１電流検出機構を有する照明装置。
【請求項６】
請求項４又は５に記載の照明装置であって、前記フィードバック機構が、前記１つ以上の第２発光素子に供給される駆動電流を示すデータを生成するよう構成される第２電流検出機構を有する照明装置。
【請求項７】
請求項４に記載の照明装置であって、前記フィードバック機構が、実用光の特性を示すデータを生成するよう構成される光センサを有する照明装置。
【請求項８】
請求項１に記載の照明装置であって、前記第１波長領域内の前記光と、前記第２波長領域内の前記光とを混ぜ合わせるよう構成される光学系を更に有する照明装置。
【請求項９】
請求項８に記載の照明装置であって、前記光学系が、反射素子、屈折素子、回折素子、拡散素子及びホログラフィック素子を有するグループから選択される１つ以上の光学素子を有する照明装置。
【請求項１０】
請求項１に記載の照明装置であって、前記制御システムが、パルス幅変調、パルス符号変調又はアナログ変調を用いて前記１つ以上の第１発光素子及び前記１つ以上の第２発光素子の動作を制御するよう構成される照明装置。
【請求項１１】
請求項２に記載の照明装置であって、前記第１波長領域が、570nmから590nmまでにわたる照明装置。
【請求項１２】
請求項３に記載の照明装置であって、前記第２波長領域が、460nmから490nmまでにわたる照明装置。
【請求項１３】
請求項１１に記載の照明装置であって、前記第１波長領域が約580nmである照明装置。
【請求項１４】
請求項１２に記載の照明装置であって、前記第２波長領域が約480nmである照明装置。
【請求項１５】
光害の一因となる領域を照明するための、請求項１、２又は３に記載の照明装置の使用。
【発明の詳細な説明】
【技術分野】
【０００１】
本発明は、広くは、照明装置に関し、より詳細には、二色照明装置に関する。
【背景技術】
【０００２】
多くのタイプの光源は、一般的には、光源において用いられる材料の物理特性及び化学特性によって決定される狭い範囲の動作条件において効率的に動作することが出来る。例えば、非常に効率的であり、且つ大量の光を生成することが出来る既知の人工光源は、低圧ナトリウム（ＬＰＳ）ランプなどのほんの数タイプしかない。これらのタイプの光源のほとんどは、準単色光しか供給しないが、それらは、多くの屋外照明用途に実用性を供給する。例えば、ＬＰＳランプからの単色光は、演色を可能にしないが、十分に高い照明レベルの下で高い視角コントラストを供給することが出来る。残念なことに、人々は、多くの場合、広帯域スペクトル光源によって生成される白色光の方を好むので、このような単色光は、視覚的に魅力がない。しかしながら、広帯域スペクトル照明は、人口夜間照明のすぐ近くの領域及び前記人口夜間照明から遠く離れた領域内に望ましくない光害及び環境問題をもたらし得る。
【０００３】
白熱灯、蛍光灯、高輝度放電（ＨＩＤ）ランプ又はＬＰＳランプを含む光源を内蔵する屋外照明器具は、通常、光の向きを変える、又は望ましくない光の伝搬を抑える、反射器、屈折レンズ、及び不透明なシールドを有する光学系を備えている。光学系は、照明器具が、他の領域の望ましくない照明を減らしながら、ターゲットの表面を効率的に照明することを可能にすることが出来る。しかしながら、ＬＰＳランプ及びＨＩＤランプなどの多くの非常に効率的な光源は、かさばった形状をしており、大きな光学系を必要とする。
【０００４】
更に、光害は、天体観測者及び環境保護論者にとって重大な問題であり得る。米国天文学会は、光害、詳細には、例えば、道路照明、住宅照明及び保安灯からの直接的に放射される光及び反射光によってもたらされる都市部のスカイグロー(sky glow)が、地球上の天文学の能力に深刻な影響を及ぼしていることに言及している。ウォーカーの法則(Walker's Law)は、カリフォルニアの多くの都市の観測から得られたスカイグロー測定値に基づく経験式であり、
【数１】
2010501104.tif 000003
と定義されている。ここで、Ｉは、スカイグローレベルの、パーセント単位での、自然バックグラウンドを超える増加量であり、Ｐは、都市の人口であり、ｄは、キロメートル単位での都市の中心部までの距離である。
【０００５】
例えば、トゥーソン（アリゾナ）は、500,000人の人口を持ち、キットピーク国立天文台からほぼ60kmに位置している。それ故、トゥーソンは、この天文台における全スカイグローのほぼ１８パーセントの原因となっているであろう。
【０００６】
更に、光害は、植物及び動物種、例えば、夜行性哺乳類、渡り鳥及び海亀に悪影響を及ぼす恐れがあることが明らかになっている。例えば、フロリダの海岸線に沿った道路照明及び保安灯は、時々、数種類の海亀の繁殖成功率の破滅的な減少をもたらすことが明らかになっている。例えば、明るい光は、大人の雌の亀が前記亀の卵を産みに浜に来るのを妨げる恐れがあり、且つ新しく孵化した亀を外洋よりむしろ内陸へ引きつける恐れもある。
【０００７】
米国天文学会及び国際天文学連合は、光害を軽減するため、幾つかの解決策を推奨している。前記推奨は、照明器具の設計及び配置による放射される光の制御、タイマー及び占有センサ(occupancy sensors)の利用、目に見えない放射線を取り除くための紫外線フィルタ及び赤外線フィルタの使用、並びに道路照明、駐車場照明及び保安灯に対する低圧ナトリウムランプなどの単色光源の使用を含む。
【０００８】
天文台の近くではＬＰＳ照明がとりわけ有用である。なぜなら、放射される光が、基本的に、589nmにおいて放射ピークを備える単色光であるからである。その場合、この領域のスペクトルを遮断し、他の波長における天体観測を可能にするために、狭帯域阻止フィルタが用いられ得る。残念なことに、ＬＰＳランプは、屋外照明器具において用いられる場合に多くの不利な点を持つ。まず、ＬＰＳランプ及びそれらの照明器具のハウジングは、一般的に大きい。例えば、 American Electric Lighting製のLuxMaster（登録商標）の製品シリーズは、55W乃至180Wのランプに対して長さが0.75m乃至1.35mである。ＬＰＳランプの大きい異方性寸法は、必要とされる照明器具の光学系を巨大にする恐れがあり、前記装置は、コスト効率が悪くなり得る。更に、ＬＰＳランプは、演色評価数（ＣＲＩ）が悪く、例えば、高圧ナトリウム（ＨＰＳ）ランプ及びメタルハライドランプなどの光源より劣っている。更に、ＬＰＳランプからもたらされる不自然な照明効果は、ＬＰＳベースの道路照明を、多くの場合に望ましくない解決策にする。従って、ＬＰＳランプは、多くの場合、工場用地用の保安灯及び駐車場照明に限定される。しかしながら、例えば、或る一定の保安用途又は監視用途などのために、エネルギ効率より色の識別が重要である場合には必ず、より良い演色を持つ光源が好まれる。
【０００９】
多色性白色光の質を高める場合、通常、可能な限り高いＣＲＩを達成するようその光源の波長及び半値全幅（ＦＷＨＭ）スペクトルパワー分布を選ぶことを目標とする。Zukauskas他は、SPIE 4425の会報の148乃至155ページ（2001年）の"Optimization of multichip white solid-state lighting source with four or more LEDs"において、様々な原色のＬＥＤの列からの発光の加法混色によって白色光を生成することが出来る、２つ以上の異なる色のＬＥＤを備える半導体ランプなどの多色光源の光度測定の分析の結果を記載している。前記結果は、２つ、３つ、４つ及び５つの原色を備える半導体ランプの推定ＣＲＩが、発光効率によってどのように変化するかを示している。
【００１０】
更に、2004年には、国際ダークスカイ協会が、屋外照明器具を、「ダークスカイ・フレンドリー」と分類する必要性を受けて、その「認可固定印」プログラムを導入した。
【００１１】
しかしながら、合否基準は、照明器具の上方光出力割合に基づいている。前記上方光出力割合は、基本的に、照明器具によって放射される光のどのくらいが、地面の方ではなく、上方へ向けられているかの測定値であり、これは、照明器具の光学設計の働きである。
【００１２】
上記で確認したように、望ましい演色評価数を供給しながら、光害の問題に対処することが出来る新しい照明装置が必要とされている。
【００１３】
この背景情報は、出願人が、本発明に関連する可能性があると考えた情報を明らかにするために供給されている。必ずしも、上記の情報のいずれもが本発明に対する従来技術を構成すると認めることを意図しておらず、そう解釈されるべきでもない。
【発明の概要】
【発明が解決しようとする課題】
【００１４】
本発明の目的は、二色照明装置を提供することにある。
【課題を解決するための手段】
【００１５】
本発明の或る態様によれば、実用照明(utility illumination)を、前記実用照明によって引き起こされる光害のレベルを抑えながら、環境に供給するための照明装置であり、第１波長領域内の光を生成するための１つ以上の第１発光素子と、第２波長領域内の光を生成するための１つ以上の第２発光素子と、前記１つ以上の第１発光素子及び前記１つ以上の第２発光素子に作動的に結合される制御システムであって、実用照明を生成するために前記１つ以上の第１発光素子及び前記１つ以上の第２発光素子の起動を制御するよう構成される制御システムとを有する照明装置であって、前記第１波長領域が、ほぼ黄色であり、前記第２波長領域が、ほぼ青色である照明装置が提供される。
【図面の簡単な説明】
【００１６】
【図１】本発明の一実施例による照明装置によって放射される光のスペクトルパワー分布を図示する。
【図２】本発明の一実施例による照明装置である。
【発明を実施するための形態】
【００１７】
定義
「発光素子」（ＬＥＥ）という用語は、装置であって、例えば、前記装置の両端に電位差を加えることによって、又は前記装置に電流を流すことによって、作動させられる場合に、例えば、可視領域、赤外領域及び／又は紫外領域といった、電磁スペクトルの領域又は領域の組み合わせ内の放射線を放射する装置を定義するために用いられる。それ故、発光素子は、単色、準単色、多色又は広帯域のスペクトル放射特性を持ち得る。発光素子の例は、半導体、有機、若しくはポリマ／高分子の発光ダイオード、光励起蛍光体で被覆された発光ダイオード、光励起ナノ結晶発光ダイオード、又は当業者には容易に理解されるであろうような他の同様な装置を含む。更に、発光素子という用語は、放射線を放射する特定の装置、例えば、ＬＥＤチップを定義するために用いられ、同様に、放射線を放射する特定の装置と、ハウジング又はパッケージであって、前記ハウジング又はパッケージ内に１つ又は複数の前記特定の装置が配置されるハウジング又はパッケージの組み合わせを定義するために用いられ得る。
【００１８】
本願明細書で用いられている「約」という用語は、公称値から＋／−１０％の偏差を指す。このような偏差は、特に言及されているか否かにかかわらず、本願明細書で与えられているあらゆる所与の値に常に含まれることを理解されたい。
【００１９】
本願明細書で用いられている全ての技術用語及び科学用語は、別途定義されない限り、本発明が属する業界の当業者に一般に理解されているのと同じ意味を持つ。
【００２０】
本発明は、ＬＰＳランプなどのダークスカイ・フレンドリーな単色光源は、ＣＲＩが低い審美的に魅力のない照明を供給し、更に、一般的には、本質的にかさばるという認識から生まれている。本発明は、望ましいＣＲＩを持つ屋外照明を、前記屋外照明によって引き起こされる光害の相対的に容易な低減を可能にしながら、供給することができ、物理的にコンパクトであり得る二色照明装置を提供することによって、これらの不利な点に対処しようとするものである。
【００２１】
本発明による照明装置は、１つ以上の第１発光素子と、１つ以上の第２発光素子と、１つ以上の第１発光素子及び１つ以上の第２発光素子の動作を制御するよう構成される制御システムとを有する。１つ以上の第１発光素子は、第１波長領域内の光を放射するよう構成され、第１波長領域は、ほぼ黄色／アンバーの波長領域である。１つ以上の第２発光素子は、第２波長領域内の光を放射するよう構成され、第２波長領域は、ほぼ青色の波長領域である。１つ以上の第１発光素子及び１つ以上の第２発光素子によって放射される光の組み合わせは、組み合わされた光が、ほぼ白色光と知覚されるように制御され得る。
【００２２】
本発明による照明装置は、２つの異なる、ほぼ単色の発光素子光源を用いて実用照明を生成するよう構成されているので、照明装置によって生成される実用照明に起因する光害は、多色光源と比べて低減される。例えば、本発明による照明装置が、屋外領域を照明するのに用いられる場合、実用光は、屋外領域内に存在する既存の光に加わり、相加光(additive light)を形成する。ここで、実用光は、光害とみなされ得る。本発明による照明装置によって生成される実用光は、実質的に２つの単色光源によって生成されるので、照明装置によって引き起こされる光害は、２つのフィルタ、即ち、第１波長領域を取り除くよう構成されるフィルタと、第２波長領域を取り除くよう構成されるフィルタとを用いて、相加光にフィルタをかけることによって、相加光から実質的に取り除かれ得る。
【００２３】
本発明の一実施例においては、１つ以上の第１発光素子及び１つ以上の第２発光素子は、第１波長領域及び第２波長領域がかなり狭い波長帯域であるように選択される。それ故、これらの狭い波長帯域が、それらのフィルタリングによって相加光から取り除かれる場合、実質的に、照明装置によって引き起こされる光害の除去を可能にしながら、相加光からはごく一部の光しか取り除かれない。
【００２４】
本発明の一実施例においては、照明装置は、国際ダークスカイ協会の認可固定印プログラムの要件を満たすよう構成されることができ、プロ及びアマチュアの天体観測者が、スカイグローから照明装置によって生成される狭い波長帯域の放射線を取り除く又はフィルタにかけることも可能にする。
【００２５】
発光素子
本発明による照明装置に組み込まれる１つ以上の第１発光素子及び１つ以上の第２発光素子は、照明装置によって、ほぼ白色の実用光が生成され得るように選択される。詳細には、１つ以上の第１発光素子は、それらが、ほぼ黄色／アンバーの波長領域内の光を放射するように、選択される。１つ以上の第２発光素子は、それらが、ほぼ青色の波長領域内の光を放射するように、選択される。
【００２６】
本発明の一実施例においては、１つ以上の第１発光素子は、約560nm乃至約600nmの波長を持つ光を放射するよう選択される。本発明の別の実施例においては、１つ以上の第１発光素子は、約570nm乃至約590nmの波長を持つ光を放射するよう選択される。本発明の別の実施例においては、１つ以上の第１発光素子は、約580nmの波長を持つ光を放射する。
【００２７】
本発明の一実施例においては、１つ以上の第２発光素子は、約450nm乃至約500nmの波長を持つ光を放射するよう選択される。本発明の別の実施例においては、１つ以上の第２発光素子は、約460nm乃至約490nmの波長を持つ光を放射するよう選択される。本発明の別の実施例においては、１つ以上の第２発光素子は、約480nmの波長を持つ光を放射する。
【００２８】
一実施例においては、本発明による二色照明装置は、ＣＲＩが約20である実用光を放射することが出来る。この望ましい実用光は、約480nm及び約580nmの波長の光が適切な割合で混ぜ合わされる場合に実現され得る。これらの波長は、実質的に青色及び黄色／アンバーに対応し、ハイフラックスＬＥＤの主波長領域からほど近い。例えば、（カリフォルニア州のサンノゼのLumileds Lightingの）Luxeon（登録商標）の青色ＬＥＤなどの市販製品は、約460nm乃至約490nmの主波長を持ち、Luxeon（登録商標）のアンバーＬＥＤは、約584.5nm乃至約597nmの主波長を持つ。
【００２９】
図１は、本発明の一実施例に従って構成される照明装置のスペクトルパワー分布を図示している。スペクトルパワー分布は、約480nmにおいて放射する１つ以上の第２発光素子の準単色放射（２００）及び約580nmにおいて放射する１つ以上の第１発光素子の準単色放射（２１０）の結果である。これらの２つの準単色放射の適切な混合は、ほぼ白色の光を生成する手段を供給し得る。
【００３０】
本発明の一実施例においては、照明装置において用いられる第１発光素子及び第２発光素子の主波長に依存する、１つ以上のほぼ青色の発光素子及び１つ以上のほぼ黄色／アンバーの発光素子によって放射される光は、適切に混ぜ合わされる場合、約3000Kと約6500Kとの間の相関色温度を備える白色光を供給することが出来る。
【００３１】
本発明の一実施例においては、色温度は、道路照明用途及び保安灯用途のために生成される実用光にはあまり重要ではない問題である。従って、照明装置の１つ以上の第１発光素子及び１つ以上の第２発光素子の主波長は、望ましいＣＲＩも供給しながら、全体的な発光効率を実質的に最適化するように選ばれ得る。
【００３２】
照明装置
図２は、本発明の一実施例による照明装置を図示している。照明装置は、１つ以上の第１発光素子５０及び１つ以上の第２発光素子５５を有する。１つ以上の第１発光素子及び１つ以上の第２発光素子によって放射される光は、組み合わされて実用照明になる。１つ以上の第１発光素子は、ほぼ黄色／アンバーの波長領域内の光を放射するよう選択され、１つ以上の第２発光素子は、ほぼ青色の波長領域内の光を放射するよう選択される。１つ以上の第１発光素子及び１つ以上の第２発光素子によって放射される光を例えば光学系５７によって混ぜ合わせると、結果として生じる実用光は、ほぼ白色の光になり得る。 
【００３３】
１つ以上の第１発光素子及び１つ以上の第２発光素子の動作は、制御システム１００によって制御される。本発明の一実施例においては、制御システム１００は、制御器１０及びフィードバック機構１５を有する。フィードバック機構の使用により、１つ以上の第１発光素子及び１つ以上の第２発光素子の光束出力は、望ましい実用光、例えば、ほぼ白色の光が作成されるように制御され得る。
【００３４】
本発明の一実施例においては、フィードバック機構は、１つ以上の第１発光素子に供給されている駆動電流に関する第１情報４０を供給することが出来る第１電流検出機構３０に結合され得る。フィードバック機構は、更に、１つ以上の第２発光素子に供給されている駆動電流に関する第２情報４５を供給することが出来る第２電流検出機構３５に結合され得る。制御システムは、第１及び第２情報並びに望ましい実用光に基づいて、１つ以上の第１発光素子及び１つ以上の第２発光素子が望ましい光出力を生成するように、第１ＬＥＥドライバ２５及び第２ＬＥＥドライバ２０のための各々の制御信号を生成することができ、それによって、照明装置によって生成される実用光を制御する。
【００３５】
本発明の別の実施例においては、フィードバック機構は、照明装置によって生成される実用光に関する光情報６５を供給するよう構成される光センサ６０に結合される。制御システムは、光情報及び望ましい実用光に基づいて、１つ以上の第１発光素子及び１つ以上の第２発光素子が望ましい光出力を生成するように、第１ＬＥＥドライバ２５及び第２ＬＥＥドライバ２０のための各々の制御信号を生成することが出来る。
【００３６】
本発明の別の実施例においては、フィードバック機構は、照明装置によって生成される実用光を制御するために、電流フィードバック機構及び光センサに結合される。
【００３７】
照明装置の光学系は、複数の方法で、１つ以上の第１発光素子及び１つ以上の第２発光素子によって生成される第１波長及び第２波長の光が、望ましい実用光を生成するよう適切に混ぜ合わされるように構成され得る。光学系は、反射素子、屈折素子、回折素子、拡散素子、ホログラフィック素子、若しくは当業者には既知であろうような他の光学素子構成の１つ又は組み合わせとして構成され得る１つ以上の光学素子を有し得る。
【００３８】
制御システムは、制御方式の１つ又は組み合わせを用いて１つ以上の第１発光素子及び１つ以上の第２発光素子の起動を制御することが出来る。例えば、制御システムは、パルス幅変調、パルス符号変調、アナログ変調、又は当業者には既知であろうような、１つ以上の第１発光素子及び１つ以上の第２発光素子を制御するための他の制御方式を用いるよう構成され得る。
【００３９】
一般的な発光素子は、ＦＷＨＭ帯域幅の境界内の全放射束の大部分を放射することから、本発明の一実施例においては、照明装置にオプションのフィルタが組み込まれ得る。前記フィルタは、照明装置の光束出力を有害なほど減少させることなく、照明装置のスペクトル放射を更に狭めるよう構成され得る。
【００４０】
当業界では良く知られているように、ＬＥＤの主波長は、ＬＥＤ接合部温度によって変化する。一般的な温度変化は、ＬＥＤ材料系に依存し、青色ＬＥＤの場合は摂氏１度当たり約0.04nm、アンバーＬＥＤの場合は摂氏１度当たり約0.09nmであり得る。本発明の一実施例においては、照明装置は、１つ以上の第１発光素子及び１つ以上の第２発光素子の、それらの各々の動作中の接合部温度による主波長シフトを軽減するよう構成される１つ以上のフィルタ補償機構を更に有する。 
【００４１】
光害補償
本発明による照明装置によって生成される実用光は、２つのほぼ単色の光源を用いて生成されるので、照明装置によって引き起こされる光害は、観測者によって、２つの異なるフィルタ、即ち、第１のほぼ単色の光源によって生成される光を実質的に取り除くよう選択される第１フィルタと、第２のほぼ単色の光源によって生成される光を実質的に取り除くよう選択される第２フィルタとを用いて、実質的に取り除かれ得る。
【００４２】
本発明の一実施例においては、アンバー及び青色の発光素子が、各々、１つ以上の第１発光素子及び１つ以上の第２発光素子として用いられる。当業界では知られているように、アンバー光又は青色光を放射するＬＥＤは、一般的に、相対的に小さいＦＷＨＭを持つそれらの発光スペクトルにおいて狭いピークを持つ。例えば、一般的なＦＷＨＭ値は、Luxeon（登録商標）の青色ＬＥＤの場合は20nmであり、Luxeon（登録商標）のアンバーＬＥＤの場合は14nmである。従って、これらのＬＥＤによって放射される光は、多くの実用的な目的のために規定されるとみなされてもよく、観測者によって、適切な狭帯域フィルタを用いて容易にフィルタをかけられることができ、可視スペクトル内の利用可能な光の減少の制限をもたらす。例えば、可視スペクトルは、約380nmから約780nmまでにわたっており、上記の適切な狭帯域フィルタによって可視スペクトルから取り除かれる光は、観測者にとって利用可能な光の約10%未満である。
【００４３】
本発明による照明装置は、屋外照明用途に用いられる場合に、相対的に高い発光効率及びＣＲＩを供給することが可能であり得る。更に、本発明による照明装置は、光害をより処理しやすくすることができ、屋外照明用途のための適切な実用光を供給することが出来る。例えば、本発明による照明装置は、環境への望ましくない影響を減らすことができ、地球上の天体観測のために利用可能な、アクセス可能可視スペクトル全体を増やすことが出来る。 
【００４４】
本発明の一実施例においては、照明装置は、前記照明装置によって放射される光の色度を、照明装置の青色及びアンバーの発光素子の相対放射強度に依存して、ほぼアンバーから、ほぼ白色を通って、ほぼ青色まで、実質的に連続的に変えるよう制御され得る。このように、照明装置は、環境影響を減らすように動作され得る。例えば、或る一定の海岸領域に沿った道路照明及び保安灯のために用いられる照明装置は、海亀が浜に来ることが知られている時期の間、又は孵化したての海亀が外洋に戻ることが知られている時期の間には、白色からアンバーに切り換えられ得る。
【００４５】
本発明の上記の実施例は、例であり、様々に変更され得ることは明らかである。このような本バリエーション又は他のバリエーションは、本発明の精神及び範囲から逸脱するものとみなされるべきではなく、当業者には明らかであろうようなこのような修正例は、全て、以下の請求項の範囲内に含まれるよう意図されている。
【図１】
2010501104.tif 000004
【図２】
2010501104.tif 000005
【国際調査報告】
2010501104.tif 000006
2010501104.tif 000007